(57)【要約】      （修正有）【課題】家庭で、本格的な門松が、簡単に、しかも安価に、製作出来る門松の架台（基礎）を提供する。【解決手段】円筒ａの外径を内径とする、厚さ６ｍｍ、高さ８０ｍｍの円筒を鞘ｉとして、ポリ容器底板に同心円上に接着、若しくは、一体成型し、ポリ容器底板と円筒ａとを固定する。中心に穴を開けた透明アクリル製円板蓋ｃに、門松の主役である竹３本を上から通して、円筒ａに挿入する。竹３本が垂直に立ったら、ポリ容器に水を入れ、松枝、梅枝を透明アクリル製円板蓋ｃの中心穴の周囲に開けてある穴２群に通し、枝を水中に刺す。この時、松枝も、梅枝も、転倒しない様、ポリ容器中段の水中に、予め設けてある、鞘ｈ付きドーナツ状円板に開けてある松枝、梅枝の専用穴に通す。【選択図】図６
0003202085.tif 000002
【実用新案登録請求の範囲】
【請求項１】
ポリ容器底に、ａの外径を内径とした充分な厚さを有する円筒を鞘ｉとしてポリ容器底の同心円上に、溶接（接着）、若しくは、一体成型する。
ａはｉに、隙間無く、収納される事により、ポリ容器底とａは、固定される。（図２）
【請求項２】
ポリ容器側面天端で、ポリ容器円の中心に向かって、充分な厚さｔ３を有する、幅ｗの突起ｆを、水平に、設ける。
次に、透明なアクリル製の円板蓋を、突起ｆの下面に於いて、ｆのｗ区間で、水平に回転させる為に、ｆと円板蓋との重なる面積より、僅かに広い面積を、円板蓋の弧から、東西南北の４ヶ所で、切欠く。水中を見る為、透明なアクリル製の円板蓋とする。
次に、円板蓋の厚さｔ１より、僅かに、厚い寸法αだけ、下方位置に、ポリ容器内壁から、ｆと同厚のｔ３の突起顎ｇを、水平にポリ容器内壁全周に設ける。
ｃの欠損部を、ｆの位置で、水平に落下させ、ｇで受け、ｇ上で、ｃを水平に右回転する。ｃは、ｆとｇの間に水平に導かれ、ｗの区間で、やがて、ｆとｇとｃとの隙間が無くなり、終いに、ｆとｇに挟まれたｃは、ｆとｇと、ポリ容器壁と一体となり、固定される．（図５）
ｃは、竹、松、梅の転倒の垂直２点支持の、反力の作用点として働く。
【請求項３】
水中に在って、松、梅の転倒の支点となる専用穴２′を開けた、ポリ容器底から、垂直に立つ、ａの天端に被せる蓋で、ａの天端と固定する鞘付きドーナツ型円板で、ａの外径を内径とする鞘で隙間なくａを収納する事によりａとｈは固定される。（図８）
【考案の詳細な説明】
【技術分野】
【０００１】  本考案は、正月の門松を、家庭で簡単に、製作する為のものである。
【考案の概要】
【考案が解決しようとする課題】
【０００２】  解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が４尺（１２１ｃｍ）の場合で４〜５万円、５尺（１５２ｃｍ）門松で５〜６万円、６尺（１８２ｃｍ）で７〜８万円、が相場である（２０１４年、名古屋）。
これは、庶民にとっては、極めて高額である。
そこで、ポリ容器（ポリバケツ、ポリ塵入等）に簡単な細工を施して、門松の架台（基礎）にし、砂の代りに水道水を使用す事で、重量及び作業の軽減を図り、人件費を抑え、以て、庶民の手の届く、安価な門松を提供しようとするものである。
【解決するための手段】
【０００３】  本考案は、重労動を必要とする門松基礎の砂の運搬作業を排し、門松製作の職人の労働を、家族の集いの場としての、共同娯楽作業と位置付け、職人の人件費を不要にする事により、問題解決を図る。
【考案の効果】
【０００４】  本考案により、門松製作が極めて簡単になり、従来の職人による、高額な門松製作の人件費が不要となる。
年末の、会社が休みになって、暇なお父さんと、冬休みの子供達だけで、楽しく門松を作る事ができ、家計も助かり、お母さんも喜ぶ。
【図面の簡単な説明】
【図１】  家庭で作くる本格的門松の完成図予想図。
【図２】  ａがｉに、隙間無く納まり、ポリ容器底とａが固定される図。
【図３】  門松の架台（基礎）を竹片で仕上げた図。。
【図４】  透明アクリル円板蓋図ｃ。及びｃを、ポリ容器天端と固定する図
【図５】  ｆ、ｇ間の離隔距離は、ｆのｗ間で、ｔ２  →  ｔ１へと変化を示す図。
【図６】  架台図（基礎）内部の俯瞰透視図。
【図７】  ａの天端に隙間無く被せる事によって、ａとｈが固定される図。
【考案を実施する為の形態】
【０００５】ポリ容器（ポリバケツ、ポリ塵入等）に、簡単な細工を施して、門松の架台（基礎）とする。
水を入れると、架台（基礎）は重くなり、重心が下がって、門松は安定する。
水を入れなければ、軽く、作業や運搬に便利である。
【０００６】水を入れると、竹や松、梅等、門松に必要な植物を、みずみずしい状態で維持できる。
【０００７】ポリ容器の底の平面円の真中で、ａの外径を内径とした、短い円筒を鞘ｉとして、ポリ容器底に垂直に溶接（接着）、若しくは、ポリ容器底と鞘ｉを一体成型する。
【０００８】ｉに、内径Φのａを刺す。
【０００９】次に、中央に直径Φの穴１を開けた、水面蓋の透明アクリル製円板に、門松の主役である、長い竹３本を、穴１の上から通して、已にポリ容器底のｉに、垂直に刺してある、ａに挿入する。
【００１０】竹３本が垂直に立ったら、ポリ容器に水を入れ、松枝、梅枝を、透明アクリル製円板蓋の、中央穴１の周囲に開けてある、穴２に通し、水中に刺す。
【００１１】その際、松枝も、梅枝も、転倒しない様、ポリ容器中段の、水中に、予め設けてある、ｈの松枝、梅枝専用の支持穴２′に、通す。
水中に在るｈは、ポリ容器の水面蓋が、透明アクリル製であるので、上から、目視できる。
【００１２】松枝、梅枝は、転倒に対し、穴２を反力の作用点とし、穴２′を支点とする、垂直２点支持となるので、転倒に対して安定する。
【００１３】次に、松や梅の下に配置する、南天、万年青（オモト）等、赤い実を付ける低木を、同じ円板蓋に開けた穴３に通して、水面に刺す。
【００１４】更に、低木の下に配置する笹を、円板蓋の笹用の穴４に、葉牡丹の根を、葉牡丹用の穴５に通して、水面に刺す。この時、葉牡丹は位置を安定させる為、葉牡丹の根元を水苔で満たす。
【００１５】以上の結果、門松を構成する植物は、全て、水が補給された状態で、門松として、構成される。
【００１６】最後に、門松の架台（基礎）のポリ容器表面に、菰（コモ）、檜皮（ヒワダ）等を巻き付け、上から縄で縛れば、本格的門松となる。（図１）
【００１７】ポリ容器の底の平面円の真中で、ａはｉに、隙間無く、収納される事により、ポリ容器底とａは固定される。（図２）
【００１８】ａに挿入される竹の下端の角が、竹転倒の際の支点である。
【００１９】水を入れたポリ容器の水面上の、透明なアクリル製円板蓋の、中心に直径Φの穴１を開ける。
【００２０】穴１の回りに、松枝、梅枝を通す穴２と、南天、万年青等を通す穴３と、更に、門松の最下位に配置する笹を通す穴４と、葉牡丹の根を通す穴５を開けた透明なアクリル製円板蓋を、ポリ容器側面天端と固定する。（図４）
【００２１】胴縁ｄ、ｅを、ポリ容器表面に、ｄ、ｅの外面（ソトヅラ）が垂線上に在るように巻き、上下２段の胴縁に、ポリ容器の成より、僅かに長い、幅２〜２．５寸程の竹片Ｔを、垂直に、ビス止めする。
【００２２】すると、門松の架台（基礎）の見栄えは、より一層、立派となり、更に、架台（基礎）の接地幅が広がるので、門松は、より安定する。（図３）
【００２３】ポリ容器側面天端と、透明アクリル製円板蓋とは、円板蓋が、竹、松、梅の転倒の際の水平反力の、作用点となるので、この作用点が、グラつかない様、円板蓋と、ポリ容器側面天端とを固定する。
【００２４】その為に、ポリ容器側面天端で、ポリ容器円の中心に向かって、厚さｔ３、幅ｗの突起部ｆを、水平に張り出す。（図４）（図５）
【００２５】次に、ｆの下面に於いて、透明なアクリル製円板蓋を、ｆの幅ｗの間で、水平に回転させる為、ｆと円板蓋の重なる面積より、僅かに広い面積を、透明アクリル製円板蓋の弧から、東西南北の４ヶ所で、切欠く。切欠いた後の透明なアクリル製蓋をｃとする。（図５）
【００２６】次に、ｃの厚さｔ１より、僅かに厚い寸法αだけ、下方位置に、ポリ容器内壁から、ｆと同厚のｔ３の突起顎ｇを、水平に、ポリ容器内壁全周に設ける。（図４）（図５）
【００２７】ｃの欠損部を、ｆの位置で、水平に、落下させ、ｇで受け止め、ｇ上で、ｃを水平に右回転する。（図５）
【００２８】ｃは、ｆとｇの間に水平に導かれ、ｗの区間で、ｆとｇに、挟まれるように移動する。やがて、ｆとｇとｃとの隙間が無くなり、終いに、ｆとｇに挟まれたｃは、ｆとｇと、ポリ容器壁と一体となり、門松の転倒方向に固定される（図４）。（図５）。
【００２９】これで、竹、松、梅、の門松の主要部品は、全て支点と、作用点を持つ、垂直２点支持となり、竹、松、梅は転倒方向に対して、安定する。
【００３０】ポリ容器の底のｉに刺すａの天端外周に、松枝と梅枝を刺す穴２′を開けた円板を持つｈを、ａに被せ、隙間無くａをｈに迎え入れ、ａとｈを固定する。（図７）
【符号の説明】
【００３１】穴１：ｃの中央に開ける、竹３本を内接する直径Φの円。
Φ：竹３本を内接する円の直径。ａの内径。ｃの穴１の直径
穴２：ｃの穴１の周囲に開ける、松枝、梅枝を通す穴
穴３：ｃの穴１の周囲に開ける、南天、万年青（オモト）等の、赤い実を付ける植物を通す穴。
穴４：ｃに開けた笹の枝を通す穴。
穴５：ｃに開けた葉牡丹の根を通す穴。
穴２′：ａの天端に刺すｈに開ける松枝、梅枝を通す穴。
穴３′：ａの天端に刺すｈに開ける南天枝、万年青枝を通す穴。
ａ：ポリ容器底の鞘ｉに刺す、Φを内径とするポリ容器成の１／２を成とする円筒
ｉ：ポリ容器底の中央に設ける、ａを刺すａの外径を内径とする鞘。
ｃ：透明アクリル製円板蓋で、ｆの下面に於いて、ｆの幅ｗ区間で、水平に回転移動させる為、ｆと円板蓋との重なる面積より、僅かに広い面積を、円板蓋の弧から、東西南北の４ヶ所で、切欠いた厚さｔ１の元円板蓋。中心に穴１を開け、その周囲に穴２〜穴５がたくさん開いている。下が見えるように透明アクリル製とする。
ｆ：ポリ容器側面天端から、円の中心に向かって、水平に張り出す、厚さｔ３を有する、幅ｗの突起。
ｗの間で、ｃの回転方向（右回り）に、徐々にαだけ厚くなる。即ち、幅ｗの区間では、ｆの厚さは、ｔ３→ｔ３＋αへと、下へ向かって厚くなっていく。（図５）
ｋ：菰（こも）
ｎ：縄
Ｔ：竹片
ｄ、ｅ：胴縁
ｔ１：ｃの厚さ
ｔ２：ｔ１より僅かαだけ多い厚さ。ｔ２＝ｔ１＋α（図５）
ｆの下端よりｔ２だけ下方をｇの天端とする。
即ち、ｆ、ｇ間の離隔距離はｆのｗ間で、ｔ２→ｔ１へとｃの回転方向に、小さくなっていく。
ｔ３：ｆのｗ間での、ｃの回転方向の、ｆの最初の厚さ。ｇの全周厚さ。
ｈ：ａの外径を内径とする鞘をドーナツの真ん中の穴に見立てた形で、全周の水平板に穴２′、穴３′を開けた、ドーナツ状円板蓋。ａの天端に隙間なくａを収納されるので、ａと固定される。
Ｗ：ｆの円周方向の幅。
ｇ：ポリ容器側壁から、円中心に向かって水平に張り出す、ｃを受けるｔ３の厚さの突起顎。
ｆの下端より、ｔ２だけ下方をｇの天端とする。即ち、ｆとｇ間の離隔距離はｆのｗ区間で、ｔ２＝ｔ１＋α  →  ｔ１でと小さくなる。
【図１】
0003202085.tif 000003
【図２】
0003202085.tif 000004
【図３】
0003202085.tif 000005
【図４】
0003202085.tif 000006
【図５】
0003202085.tif 000007
【図６】
0003202085.tif 000008
【図７】
0003202085.tif 000009
【手続補正書】
【提出日】平成27年4月7日(2015.4.7)
【手続補正１】
【補正対象書類名】実用新案登録請求の範囲
【補正対象項目名】全文
【補正方法】変更
【補正の内容】
【実用新案登録請求の範囲】
【請求項１】
ポリ容器底に於いて、「円筒（ａ）」の外径を内径とする、厚さ６ｍｍ、長さ８０ｍｍの円筒を「鞘（ｉ）」として、ポリ容器底の同心円上に接着、若しくは、一体成型し、「円筒（ａ）」を「鞘（ｉ）」に、隙間無く、収納させる事により、ポリ容器底と「円筒（ａ）」とを一体化（固定）させる「家庭で簡単に出来る本格的門松の架台（基礎）」
【請求項２】
ポリ容器側面天端に於いて、ポリ容器円の中心に向かって、厚さｔ３（＝６ｍｍ）を有する幅ｗ（＝８０ｍｍ）の「突起（ｆ）」を、東西南北の４か所に水平に設け、「透明アクリル製円板蓋（ｃ）」を、「「突起（ｆ）」の下面に於いて、幅ｗ（＝８０ｍｍ）区間で、水平に回転させる為に、（１）・「突起（ｆ）」と「透明アクリル製円板蓋（ｃ）」とが重なる面積より、僅かに広い面積を、「透明アクリル製円板蓋（ｃ）」の円弧から、東西南北の４ケ所で切り欠き、（２）・「突起（ｆ）」の下端から「透明アクリル製円板蓋（ｃ）の厚さｔ１（＝６ｍｍ）より、僅かに、長い寸法α（＝２ｍｍ）だけ、下方位置に、ポリ容器壁内面から、「突起（ｆ）」と同厚のｔ３（＝６ｍｍ）を有する「顎（ｇ）」を、ポリ容器全周に１０ｍｍの出張りで水平に設け（即ち、「突起（ｆ）」の下端と「顎（ｇ）」の天端の離隔は「ｔ２＝ｔ１＋α＝８ｍｍ」）、（３）・「透明アクリル製円板蓋（ｃ）」を切り欠き部分で「突起（ｆ）」の位置に於いて、水平に落下させ、「顎（ｇ）」にて、これを受け止め、「顎（ｇ）」上で、「透明アクリル製円板蓋（ｃ）」を水平に右回転（時計回りに）させると、「透明アクリル製円板蓋（ｃ）」は、「突起（ｆ）」と「顎（ｇ）」の間に導かれ、「突起（ｆ）」の幅ｗ（＝８０ｍｍ）」の区間に於いて、「突起（ｆ）」と「顎（ｇ）」と「透明アクリル製円板蓋（ｃ）」との隙間が無くなって、終いに、「突起（ｆ）」と「顎（ｇ）」に挟まれた「透明アクリル製円板蓋（ｃ）」は、「突起（ｆ）」と「顎（ｇ）」と、ポリ容器壁と一体化（固定）される。以上の、（１）〜（３）の構成から成る「家庭で簡単に出来る本格的門松の架台（基礎）。」
【請求項３】
ポリ容器底から垂直に立つ「円筒（ａ）」の天端に被せる「鞘（ｈ）」の周囲をドーナツ状水平板で囲まれた「鞘（ｈ）」付きの円板で、水中に於いて、中心部の「鞘（ｈ）」の周りのドーナツ水平板に、松枝、梅枝の転倒の際の支点となる穴２’を開けてある、「円筒（ａ）」の外径を内径とした「鞘（ｈ）」が、隙間なく「円筒（ａ）」を収納する事により、「円筒（ａ）」と「鞘（ｈ）」とを一体化（固定）する「家庭で簡単に出来る本格的門松の架台（基礎）。」
【請求項４】
「簡単な細工を施したポリ容器を、門松の架台（基礎）とすると、（１）・水道水を入れるだけで、架台（基礎）は重くなり、重心が下がって、門松は安定し、（２）・架台（基礎）内の水で、竹や松、梅等、門松を構成する植物を、みずみずしい状態で維持でき、（３）・水を入れなければ、軽いので、作業や運搬に便利である。以上の、（１）〜（３）の構成から成る「家庭で簡単に出来る本格的門松の架台（基礎）」
【手続補正２】
【補正対象書類名】明細書
【補正対象項目名】全文
【補正方法】変更
【補正の内容】
【考案の詳細な説明】
【技術分野】
【０００１】本考案は、正月の門松を、家庭で簡単に、製作する為のものである。
【考案の概要】
【考案が解決しようとする課題】
【０００２】解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が、４尺（１２１ｃｍ）の場合で４〜５万円、５尺（１５２ｃｍ）の門松で５〜６万円、６尺（１８２ｃｍ）で７〜８万円、が相場である（２０１４年、名古屋）。これは、庶民にとっては、極めて高額である。そこで、ポリ容器（ポリバケツ、ポリ塵入等）に簡単な細工を施して、門松の架台（基礎）にし、砂の代りに水道水を使用する事で、全体の重量及び作業量の軽減を図り、人件費を抑え、以て、庶民の手の届く、安価な門松を提供しようとするものである。
【解決するための手段】
【０００３】本考案は、重労動を必要とする門松基礎の砂の運搬作業を排し、門松製作の職人の労働行為を、家族の集いの場としての、共同娯楽作業と位置付け、職人の人件費を不要にする事に因り、問題解決を図る。
【考案の効果】
【０００４】本考案により、門松製作が極めて簡単になり、しかも、従来の職人による、高額な門松製作の人件費が不要となる。
年末の、会社が休みになって、暇なお父さんと、冬休みの子供達だけで、楽しく門松を作る事ができ、家計も助かり、お母さんも喜ぶ。
【図面の簡単な説明】
【図１】家庭で作くる本格的門松の完成予想図。
【図２】「円筒（ａ）」が「鞘（ｉ）」に、隙間無く納まり、ポリ容器底と「円筒（ａ）」が垂直に一体化（固定）される図。
【図３】門松の架台（基礎）を竹片で仕上げた図。
【図４】「透明アクリル製円板蓋（ｃ）」。及び（ｃ）を、ポリ容器の天端と一体化（固定）する図。
【図５】「突起（ｆ）」、「顎（ｇ）」間の離隔距離は、「突起（ｆ）」の幅ｗ（＝８０ｍｍ）間で、ｔ２（＝８ｍｍ）→ｔ１（＝６ｍｍ）へと変化を示す図。
【図６】門松の架台（基礎）内部の俯瞰透視図。
【図７】ポリ容器底から垂直に立つ「円筒（ａ）」の天端に「鞘（ｈ）を隙間無く被せる事によって、「円筒（ａ）」の天端と「鞘（ｈ）付きドーナツ状円板」が一体化（固定）される図。
【考案を実施する為の形態】
【０００５】バケツ型ポリ容器に、簡単な細工を施して、門松の架台（基礎）とする。水を入れると、架台（基礎）は重くなって、重心が下がり、門松は安定する。水を入れなければ、軽く、作業や運搬に便利である。
【０００６】水を入れると、竹や松、梅等、門松に必要な植物を、みずみずしい状態で保持
できる。
【０００７】正月が終わって、水を抜けば、毎年、使用できる。
【０００８】門松の主役である竹３本を纏めて内接する円の直径をΦとする。
【０００９】ポリ容器の底から垂直に立つ、「円筒（ａ）」の内径Φで、３本の竹の最下部を納める為、「円筒（ａ）」の外径を内径とする長さ８０ｍｍの円筒型を、「円筒（ａ）」を受け入れる「鞘（ｉ）」として、ポリ容器底に垂直に接着、若しくは、ポリ容器底と「鞘（ｉ）」とを一体成型する。
【００１０】ポリ容器底の「鞘（ｉ）」に、「円筒（ａ）」を挿入すると、「鞘（ｉ）」の内径と「円筒（ａ）」の外径は隙間無い為、「円筒（ａ）」は、ポリ容器底と垂直に一体化（固定）される。（図２）
【００１１】次に、中心に直径Φの円（穴１）を開けた「透明アクリル製円板蓋（ｃ）」に、門松の主役である、長い竹３本を、（穴１）の上から通して、ポリ器底中心から垂直に立っている、「円筒（ａ）」に竹３本を挿入する。
【００１２】竹３本が垂直に立ったら、ポリ容器に水を入れ、松枝、梅枝を「透明アクリル製円板蓋（ｃ）」の中心円（穴１）の周囲に開けてある（穴２）群に通し、水中に刺す。
【００１３】この時、松枝も、梅枝も、転倒しない様、ポリ容器中段の水中に、予め設けてある、「鞘（ｈ）付きドーナツ状円板」に開けてある松枝、梅枝の専用（穴２’群）に通す。水中に在る「鞘（ｈ）付きドーナツ状円板」は、上位の「円板蓋（ｃ）」が、透明アクリル製であるので、上から、目視できる。
【００１４】松枝、梅枝は、転倒に対し、（穴２）を反力の作用点とし、（穴２’）を支点とする垂直２点支持となっている為、転倒に対して安定する。
【００１５】次に、松や梅の下位に配置する、南天、万年青（オモト）等、赤い実を付ける低木を、同じ「円板蓋（ｃ）」に開けた（穴３）に通し、水面に刺す。
【００１６】更に、低木の下に配置する笹を、「円板蓋（ｃ）」の笹用の（穴４）に、葉牡丹の根を、葉牡丹用の（穴５）に通して、水面に刺す。この時、葉牡丹は位置を安定させる為、葉牡丹の葉元を水苔で満たし葉牡丹の葉元を安定させる。
【００１７】以上の結果、門松を構成する植物は、全て、水が補給されたみずみずしい状態で、門松として、構成されている。
【００１８】最後に、門松の架台（基礎）のポリ容器表面に、菰（コモ）、又は檜皮（ヒワダ）等で巻き付け、上から縄で縛れば、本格的門松となる。（図１）
【００１９】「円筒（ａ）」に挿入された３本の竹の下端の角が、竹転倒の際の支点である。
【００２０】水を入れたポリ容器の水面上の、「透明なアクリル製円板蓋（ｃ）」の、中心に直径Φの穴１を開ける。
【００２１】直径Φの（穴１）の回りに、松枝、梅枝を通す（穴２）と、南天、万年青（オモト）等を通す（穴３）と、更に、門松の最下部に配置する笹枝を通す（穴４）と、葉牡丹の根を通す（穴５）を開けた「透明なアクリル製円板蓋（ｃ）」を、ポリ容器側面天端と一体化（固定）させる。（図４）
【００２２】胴縁ｄ、ｅを、ポリ容器表面に、ｄ、ｅの外面（ソトズラ）が垂線上に在るように巻き、上下２段の胴縁に、ポリ容器の成より、僅かに（３０ｍｍ）長い、幅２〜２．５寸程の竹片Ｔを、垂直にビス止めする。
【００２３】すると、門松の架台（基礎）の見栄えは、より一層、立派となり（図４）、しかも、架台（基礎）の接地幅が広がるので、門松は、より安定する。（図３）
【００２４】「透明アクリル製円板蓋（ｃ）」の位置が、竹、松、梅の転倒の際の水平反力の、作用点となるので、この作用点がグラつかない様、「円板蓋（ｃ）」と、ポリ容器側面天端とを一体化（固定）する。
【００２５】その為（固定する為）に、ポリ容器側面壁天端で、ポリ容器円の中心に向かって、厚さｔ３（＝６ｍｍ）、幅ｗ（＝８０ｍｍ）の「突起部（ｆ）」を、水平に張り出す。（図４）（図５）
【００２６】次に、「突起部（ｆ）」の下面に於いて、「透明アクリル製円板蓋（ｃ）」を「突起部（ｆ）」の幅ｗ（＝８０ｍｍ）の区間で、水平に回転させる為、「突起部（ｆ）」と「アクリル製円板蓋（ｃ）」との重なる部分より、僅かに広い面積を、「透明アクリル製円板蓋（ｃ）」の円弧から、東西南北の４ケ所で切り欠く。（図４）
【００２７】次に、「透明なアクリル製円板蓋（ｃ）」の厚さｔ１（＝６ｍｍ）より、僅かに厚い寸法α（＝２ｍｍ）だけ、下方位置に、ポリ容器内壁から、「突起（ｆ）」と同厚のｔ３（＝６ｍｍ）の「顎（ｇ）」を、水平に、ポリ容器内壁面全周に設ける。（図４）（図５）
【００２８】「透明アクリル製円板蓋（ｃ）」の切り欠き部を、「突起（ｆ）」の位置に持っていき、「透明アクリル製円板蓋（ｃ）」を水平に落下させ、「顎（ｇ）」でこれを受け止め、「顎（ｇ）」上で、「透明アクリル製円板蓋（ｃ）」を水平に右回転する。（図５）
【００２９】「透明アクリル製円板蓋（ｃ）」は、「突起（ｆ）」と「顎（ｇ）」の間に水平に導かれ、「突起（ｆ）の幅（ｗ）」に於いて、「突起（ｆ）」と「顎（ｇ）」に、挟まれるように移動し、やがて、「突起（ｆ）」と「顎（ｇ）」と「円板蓋（ｃ）」との隙間が無くなり、終いに、「突起（ｆ）」と「顎（ｇ）」に挟まれた「円板蓋（ｃ）」は、「突起（ｆ）」と「顎（ｇ）」と、ポリ容器壁とが一体となり固定される。（図４）（図５）
【００３０】これで、竹、松、梅、の門松の主要部品は、全て支点と、作用点を持つ、垂直２点支持となり、竹、松、梅は転倒方向に対し、安定する。
【００３１】「松枝と梅枝を刺す（穴２’）を開けた「鞘（ｈ）付きドーナツ状円板」を、ポリ容器底から垂直に立つ「円筒（ａ）」の天端に被せ、隙間無く「円筒（ａ）」を「鞘（ｈ）」に迎え入れる事により、「円筒（ａ）」と「鞘（ｈ）」を一体化（固定）させる。（図７）
【符号の説明】
【００３２】穴１：「透明アクリル製円板蓋（ｃ）」の中央に開ける、竹３本を内接する直径Φの円。
Φ：竹３本を内接する円の直径。
「円筒（ａ）」の内径。
「透明アクリル製円板蓋（ｃ）」の中央の穴１の直径。
穴２：「透明アクリル製円板蓋（ｃ）」の穴１の周囲に開ける、松枝、梅枝を通す穴。
穴３：「透明アクリル製円板蓋（ｃ）」の穴１の周囲に開ける、南天、万年青（オモト）    等の、赤い実を付ける植物を通す穴。
穴４：「透明アクリル製円板蓋（ｃ）」の穴２．穴３の周りに開ける笹の枝を通す穴
穴５：「透明アクリル製円板蓋（ｃ）」の穴２、穴３の周りに開ける葉牡丹の根を通す穴    。
穴２’：水中の「鞘（ｈ）」付きドーナツ状円板」に開ける松枝、梅枝の転倒の際の支点    となる穴。
ａ：ポリ容器底の「鞘（ｉ）」に挿入するΦを内径とし、ポリ容器成の１／２を成とする    竹３本を自立させる為のポリ製円筒。
ｉ：ポリ容器底の中心に設ける「円筒（ａ）」を刺す為の、ａの外径を内径とした長さ８    ０ｍｍの円筒型鞘。
ｃ：透明アクリル製円板蓋で、「突起（ｆ）」の下面に於いて、ｆの幅ｗ（＝８０ｍｍ）    区間に於いて、水平に回転移動させる為、「突起（ｆ）」と「透明アクリル製円板蓋    （ｃ）」との重なる面積より僅かに広い面積を、「透明アクリル製円板蓋（ｃ）」の    円弧から、東西南北の４ケ所で切欠いた、厚さｔ１（＝６ｍｍ）の元円板蓋。
中心に穴１（＝Φ）を開け、その周囲に穴２〜穴５が沢山、開いている。
下が見える様、透明アクリル製とする。
ｆ：ポリ容器側面壁天端から、円の中心に向かって、水平に張り出す厚さ
ｔ３（＝６ｍｍ）を有する、「幅ｗ（＝８０ｍｍ）」の突起。
ｗの区間で、ｃの回転方向（右回り）に、徐々にα（＝２ｍｍ）だけ厚くなる。即ち    、幅ｗ（＝８０ｍｍ）の区間に於いて、ｆの厚さは、ｔ１（＝６ｍｍ）→ｔ２＝（ｔ    １＋α）＝８ｍｍへと、下へ向って徐々に厚くなっていく。（図５）
ｋ：菰（こも）
ｎ：縄
Ｔ：竹片
ｄ、ｅ：胴縁
ｔ１：「透明アクリル製円板蓋（ｃ）」の厚さ。ｔ１＝６ｍｍ
ｔ２：ｔ１より僅かα＝２ｍｍだけ多い厚さ。ｔ２＝（ｔ１＋α）＝８ｍｍ（図５）。
ｆの下端より、ｔ２だけ下方をｇの天端とする。即ち、ｆ、ｇ間の離隔距離はｆのｗ    区間で、ｔ２→ｔ１へとｃの回転方向に、小さくなっていく。
ｔ３：「突起（ｆ）」の幅ｗ（＝８０ｍｍ）区間での、ｃの回転方向のｆの最初の厚さｔ    ３＝６ｍｍ「顎（ｇ）」の全周厚さ。
ｈ：「円筒（ａ）」の外径を内径とする、長さ８０ｍｍの短い円筒型の鞘で、水中に在っ    て、周囲を、松枝、梅枝の転倒の支点となる穴２’を開けたドーナツ状水平板で囲ま    れた「鞘（ｈ）」付きの円板である。
「円筒（ａ）」の天端に於いて、「円筒（ａ）」に隙間なく被せる事によって、
「円筒（ａ）」と「鞘（ｈ）」は一体化（固定）する。
ｗ：「突起（ｆ）」の幅。＝８０ｍｍ
ｇ：ポリ容器内壁面から円中心に向かって水平に張り出す「透明アクリル製円板
蓋（ｃ）」を受ける、厚さｔ３の顎。「突起（ｆ）」の下端から、ｔ２だけ下方を「    顎（ｇ）」の天端とする。即ち、「突起（ｆ）」と「顎（ｇ）」の離隔距離は「突起    （ｆ）」の幅ｗ（＝８０ｍｍ）区間に於いて、ｔ２＝（ｔ＋α）＝８ｍｍ  →  ｔ１    （＝６ｍｍ）と小さくなって行く。
【手続補正３】
【補正対象書類名】図面
【補正対象項目名】全図
【補正方法】変更
【補正の内容】
【図１】
0003202085.tif 000010
【図２】
0003202085.tif 000011
【図３】
0003202085.tif 000012
【図４】
0003202085.tif 000013
【図５】
0003202085.tif 000014
【図６】
0003202085.tif 000015
【図７】
0003202085.tif 000016
【手続補正書】
【提出日】平成27年7月15日(2015.7.15)
【手続補正１】
【補正対象書類名】実用新案登録請求の範囲
【補正対象項目名】全文
【補正方法】変更
【補正の内容】
【実用新案登録請求の範囲】
【請求項１】
ポリ容器底に於いて、円筒ａの外径を内径とする、厚さ６ｍｍ、高さ８０ｍｍの円筒を鞘ｉとして、ポリ容器底板の同心円上に接着、若しくは、一体成型し、円筒ａを鞘ｉに、隙間無く、収納させる事により、ポリ容器底板と円筒ａとを一体化（固定）させる「家庭で簡単に出来る本格的門松の架台（基礎）」
【請求項２】
ポリ容器側面天端に於いて、ポリ容器円の中心に向かって、厚さｔ３＝６ｍｍを有する幅ｗ＝８０ｍｍの突起ｆを、東西南北の４か所に於いて水平に設け、透明アクリル製円板蓋ｃを、突起ｆの下面に於いて、幅ｗ＝８０ｍｍ区間で、水平に回転させる為に、「（１）．突起ｆと透明アクリル製円板蓋ｃとが重なる面積より、僅かに広い面積を、透明アクリル製円板蓋ｃの円弧から、東西南北の４ケ所で切り欠き、（２）．突起ｆの下端から透明アクリル製円板蓋ｃの厚さｔ１＝６ｍｍより、僅かに、厚い寸法α＝２ｍｍだけ、下方位置に、ポリ容器壁内面から、突起ｆと同厚のｔ３＝６ｍｍを有する顎ｇを、ポリ容器全周に水平に設ける。（即ち、突起ｆの下端と顎ｇの天端の離隔はｔ２＝ｔ１＋α＝８ｍｍ）、（３）．透明アクリル製円板蓋ｃの切り欠き部分を突起ｆの位置に於いて、水平に落下させ、顎ｇにて、これを受け止め、顎ｇ上で、透明アクリル製円板蓋ｃを水平に右回転（時計回り）させると、透明アクリル製円板ｃは、突起ｆと顎ｇとの間に導かれて、突起ｆの幅ｗ＝８０ｍｍの区間に於いて、突起ｆと顎ｇと、透明アクリル製円板蓋ｃとの隙間が無くなくなって、終いに、突起ｆと顎ｇに挟まれた透明アクリル製円板蓋ｃは、突起ｆと顎ｇと、ポリ容器壁と一体化（固定）される。以上の、（１）．〜（３）．の構成から成る「家庭で簡単に出来る本格的門松の架台（基礎）」。」
【請求項３】
ポリ容器底から垂直に立つ円筒ａの天端に被せる鞘ｈの周囲をドーナツ状水平板で囲まれた鞘ｈ付きの円板で、水中に於いて、中心部の鞘ｈの周りのドーナツ状水平板に、松枝、梅枝の転倒の際の支点となる穴２′が開けてある、円筒ａの外径を内径とした鞘ｈが、隙間なく円筒ａを収納する事により、円筒ａと鞘ｈとを一体化（固定）する「家庭で簡単に出来る本格的門松の架台（基礎）。」
【請求項４】
〔図−１〕（完成予想図）と〔図−６〕（門松基礎内部の俯瞰透視図）に示す如く簡単な細工を施したポリ容器を、門松の架台（基礎）とすると，「（１）．水道水を入れるだけで、架台（基礎）は重くなり、重心が下がって、門松は安定し、（２）．架台（基礎）内の水で、竹や松、梅等、門松を構成する植物を、みずみずしい状態で維持でき、（３）．水を入れなければ、軽いので、作業や運搬に便利である。以上の、（１）．〜（３）．の構成から成る「家庭で簡単に出来る本格的門松の架台（基礎）」。」
【手続補正２】
【補正対象書類名】明細書
【補正対象項目名】全文
【補正方法】変更
【補正の内容】
【考案の詳細な説明】
【技術分野】
【０００１】本考案は、正月の門松を、家庭で簡単に、製作する為のものである。
【考案の概要】
【考案が解決しようとする課題】
【０００２】解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が、４尺（１２１ｃｍ）の場合で４〜５万円、５尺（１５２ｃｍ）の門松で５〜６万円、６尺（１８２ｃｍ）で７〜８万円、が相場である（２０１４年、在名古屋）。これは、庶民にとっては、極めて高額である。そこで、ポリ容器（ポリバケツ、ポリ塵入等）に簡単な細工を施して、門松の架台（基礎）にし、砂の代わに水道水を使用する事で、全体の重量及び作業量の軽減を図り、人件費を抑え、以て、庶民の手の届く、安価な門松を提供しようとするものである。
【解決するための手段】
【０００３】本考案は、重労動を必要とする門松基礎の砂の運搬作業を排し、門松製作の職人の労働行為を、家族の集いの場としての共同娯楽作業と位置付け、職人の人件費を不要にする事に因り、問題解決を図る。
【考案の効果】
【０００４】本考案により、門松製作が極めて簡単になり、しかも、従来の職人による、高額な門松製作の人件費が不要となる。
年末の、会社が休みになって、暇なお父さんと、冬休みの子供達だけで、楽しく門松を作る事ができ、家計も助かり、年末で忙しいお母さんも喜ぶ。
【図面の簡単な説明】
【図１】家庭で作くる本格的門松の完成予想図。
【図２】円筒ａが鞘ｉに、隙間無く納まり、ポリ容器底と円筒ａが垂直に一体化（固定）される図。
【図３】門松の架台（基礎）を竹片で仕上げた図。
【図４】透明アクリル製円板蓋ｃ。及びｃを、ポリ容器の天端と一体化（固定）する図。
【図５】突起ｆ、と顎ｇ間の離隔距離は、突起ｆの幅ｗ＝８０ｍｍ間で、ｔ２＝８ｍｍ→ｔ１＝６ｍｍへと変化していく図。
【図６】門松の架台（基礎）内部の俯瞰透視図。
【図７】ポリ容器底から垂直に立つ円筒ａの天端に鞘ｈを隙間無く被せる事によって、円筒ａの天端と鞘ｈ付きドーナツ状円板が一体化（固定）される図。
【考案を実施する為の形態】
【０００５】バケツ型ポリ容器に、簡単な細工を施して、門松の架台（基礎）とする。水を入れると、架台（基礎）は重くなって、重心が下がり、門松は安定する。水を入れなければ、軽く、作業や運搬に便利である。
【０００６】水を入れると、竹や松、梅等、門松に必要な植物を、みずみずしい状態で保持できる。
【０００７】正月が終わって、水を抜けば、毎年、使用できる。
【０００８】門松の主役である竹３本を纏めて内接する円の直径をΦとする。
【０００９】ポリ容器の底板から垂直に立つ内径Φを有する円筒ａで、３本の竹の最下部を納める為，円筒ａの外径を内径とする高さ８０ｍｍの円筒型を、円筒ａを受け入れる為の鞘ｉとして、ポリ容器底板に垂直に接着、若しくは、ポリ容器底板と鞘ｉとを一体成型する。
【００１０】ポリ容器底板に立つ鞘ｉに、円筒ａを挿入すると、鞘ｉの内径と円筒ａの外径は隙間無い為、円筒ａは、ポリ容器底と垂直に一体化（固定）される。（図２）
【００１１】次に、中心に直径Φの円（穴１）を開けた透明アクリル製円板蓋ｃに、門松の主役である、竹３本を、（穴１）の上から通して、ポリ器底板の中心から垂直に立っている、円筒ａに竹３本を挿入する。
【００１２】竹３本が垂直に立ったら、ポリ容器に水を入れ、松枝、梅枝を透明アクリル製円板蓋ｃの中心円（穴１）の周囲に開けてある（穴２）群に通し、枝を水中に刺す。
【００１３】この時、松枝も、梅枝も、転倒しない様、ポリ容器中段の水中に、予め設けてある、鞘ｈ付きドーナツ状円板に開けてある松枝、梅枝の専用穴である（穴２′）に通す。
水中に在る鞘ｈ付きドーナツ状円板は、上位の円板蓋ｃが、透明アクリル製であるので、上から、目視できる。
【００１４】松枝、梅枝は、転倒に対し、（穴２）を反力の作用点とし、（穴２′）を支点とする垂直２点支持となる為、転倒に対して安定する。
【００１５】次に門松の、松や梅の下位に配置する、南天、万年青（オモト）等、赤い実を付ける低木を、同じ円板蓋ｃに開けた（穴３）に通し、水面に刺す。
【００１６】更に、門松の低木の下に配置する笹を、円板蓋ｃの笹用の（穴４）に、葉牡丹の根を、葉牡丹用の（穴５）に通して、水面に刺す。この時、葉牡丹は位置を安定させる為、葉牡丹の葉元を水苔で満たし葉牡丹の葉元を安定させる。
【００１７】以上の結果、門松を構成する植物は、全て、水が補給されたみずみずしい状態で、門松として、構成されている。
【００１８】最後に、門松の架台（基礎）のポリ容器表面に、菰（コモ）、又は檜皮（ヒワダ）等で巻き付け、上から縄で縛れば、本格的門松となる。（図１）
【００１９】円筒ａに挿入された３本の竹の下端の角が、竹転倒の際の支点である。
【００２０】水を入れたポリ容器の水面上の、透明なアクリル製円板蓋ｃの、中心に直径Φの穴１を開ける。
【００２１】直径Φの（穴１）の回りに、松枝、梅枝を通す（穴２）と、南天、万年青（オモト）等を通す（穴３）と、更に、門松の最下部に配置する笹枝を通す（穴４）と、葉牡丹の根を通す（穴５）を開けた透明なアクリル製円板蓋ｃを、ポリ容器側面天端と一体化（固定）させる。（図４）
【００２２】胴縁ｄ、ｅを、ポリ容器表面に、ｄ、ｅの外面（ソトヅラ）が垂線上に在るように巻き、上下２段の胴縁に、ポリ容器の成より、僅かに３０ｍｍ程長い、幅２〜２．５寸程の竹片Ｔを、垂直にビス止めする。
【００２３】すると、門松の架台（基礎）の見栄えは、より一層、立派となり（図４）、しかも、架台（基礎）の接地幅が広がるので、門松は、より安定する。（図３）
【００２４】透明アクリル製円板蓋ｃの位置が、竹、松、梅の転倒の際の水平反力の、作用点となるので、この作用点がグラつかない様、円板蓋ｃと、ポリ容器側面天端とを一体化（固定）する。
【００２５】その為に、ポリ容器側面壁天端で、ポリ容器円の中心に向かって、厚さｔ３＝６ｍｍ、幅ｗ＝８０ｍｍの突起部ｆを、水平に張り出す。（図４）（図５）
【００２６】次に、突起部ｆの下面に於いて透明アクリル製円板蓋ｃを突起部ｆの幅ｗ＝８０ｍｍの区間で、水平に回転させる為、突起ｆとアクリル製円板蓋ｃとの重なる部分より、僅かに広い面積を、透明アクリル製円板蓋ｃの円弧から、東西南北の４ケ所で切り欠く。（図４）
【００２７】次に、透明なアクリル製円板蓋ｃの厚さｔ１＝６ｍｍより、僅かに厚い寸法α＝２ｍｍだけ、下方位置に、ポリ容器内壁から、突起ｆと同厚のｔ３＝６ｍｍの顎ｇを、水平に、ポリ容器内壁面全周に設ける。（図４）（図５）
【００２８】透明アクリル製円板蓋ｃの切り欠き部を、突起ｆの位置に持っていき、透明アクリル製円板蓋ｃを水平に落下させ、顎ｇでこれを受け止め、顎ｇ上で、透明アクリル製円板ｃを水平に右回転する。（図５）
【００２９】透明アクリル製円板蓋ｃは、突起ｆと顎ｇの間に水平に導かれ、突起ｆの幅ｗ＝８０ｍｍに於いて、突起ｆと顎ｇに、挟まれるように移動し、やがて、突起ｆと顎ｇと円板蓋ｃとの隙間が無くなり、終いに、突起ｆと顎ｇに挟まれた円板蓋ｃは、突起ｆと顎ｇと、ポリ容器壁とが一体となり固定される。（図４）（図５）
【００３０】これで、竹、松、梅、の門松の主要３部品は、全て支点と、作用点を持つ、垂直２点支持となり、竹、松、梅は転倒方向に対し、安定する。
【００３１】松枝と梅枝を刺す（穴２′）を開けた鞘ｈ付きドーナツ状円板を、ポリ容器底板から垂直に立つ円筒ａの天端に被せ、隙間無く円筒ａを鞘ｈに迎え入れる事により、円筒ａと鞘ｈを一体化（固定）させる。（図７）
【符号の説明】
【００３２】穴１：透明アクリル製円板蓋ｃの中央に開ける、竹３本を内接する直径Φの円。
Φ：竹３本を内接する円の直径。
円筒ａの内径。
透明アクリル製円板蓋ｃの中央の穴１の直径。
穴２：透明アクリル製円板蓋ｃの穴１の周囲に開ける、松枝、梅枝を通す穴。
穴３：透明アクリル製円板蓋ｃの穴２の周囲に開ける、南天、万年青（オモト）等の、赤い実を付ける植物を通す穴。
穴４：透明アクリル製円板蓋ｃの穴２、穴３の周りに開ける笹の枝を通す穴
穴５：透明アクリル製円板蓋ｃの穴２、穴３の周りに開ける葉牡丹の根を通す穴。
穴２′：水中の鞘ｈ付きドーナツ状円板に開ける松枝、梅枝の転倒の際の支点となる穴。
円筒ａ：ポリ容器底板に立つ鞘ｉに挿入する、Φを内径とし、ポリ容器成の１／２を成とする竹３本を内包し自立させる為のポリ製円筒。
鞘ｉ：ポリ容器底板の中心に設ける円筒ａを刺す為の、円筒ａの外径を、内径とした高さ８０ｍｍの円筒型鞘。
ｃ：透明アクリル製円板蓋。突起ｆの下面に於いて、ｆの幅ｗ＝８０ｍｍ区間にで、水平に回転移動させる為、突起ｆと透明アクリル製円板蓋ｃとの重なる面積より僅かに広い面積を、透明アクリル製円板蓋ｃの円弧から、東西南北の４ケ所で切欠いた、厚さｔ１＝６ｍｍの元円板蓋。
中心に穴１（直径＝Φ）を開け、その周囲に穴２〜穴５が沢山、開いている。
下が見える様、透明アクリル製とする。
ｆ：ポリ容器側面壁天端から、円の中心に向かって、水平に張り出す厚さｔ３＝６ｍｍを有する、幅ｗ＝８０ｍｍの突起。
ｗの区間で、ｃの回転方向（右回り）に、徐々にα＝２ｍｍだけ厚くなる。即ち、幅ｗ（＝８０ｍｍ）の区間に於いて、ｆの厚さは、ｔ＝６ｍｍ→ｔ２＝ｔ１＋α＝８ｍｍへと、下へ向って徐々に厚くなっていく。（図５）
ｋ：菰（こも）
ｎ：縄
Ｔ：竹片
ｄ、ｅ：胴縁
ｔ１：透明アクリル製円板蓋ｃの厚さ。ｔ１＝６ｍｍ
ｔ２：ｔ１より僅かα＝２ｍｍだけ多い厚さ。ｔ２＝ｔ１＋α＝８ｍｍ  （図５）。
ｆの下端より、ｔ２だけ下方をｇの天端とする。即ち、ｆ、ｇ間の離隔距離はｆのｗ区間で、ｔ２→ｔ１へとｃの回転方向に、小さくなっていく
ｔ３：突起ｆの幅ｗ＝８０ｍｍ区間での、ｃの回転方向のｆの最初の厚さ。
顎ｇの全周厚さ。
鞘ｈ：円筒ａの最上端に被せる、円筒ａの外径を内径とする、高さ８０ｍｍの短い円筒型の鞘で、水中に在って、周囲を、松枝、梅枝の転倒の支点となる穴２′を開けたドーナツ状水平板で囲まれた鞘ｈ付きの円板である。
円筒ａの天端に於いて、円筒ａに隙間なく被せる事によって、円筒ａと鞘ｈは一体化（固定）する。
ｗ：突起ｆの幅。＝８０ｍｍ
ｇ：ポリ容器内壁面から円中心に向かって水平に張り出す透明アクリル製円板蓋ｃを受ける、厚さｔ３の顎。突起ｆの下端から、ｔ２だけ下方を顎ｇの天端とする。即ち、突起ｆと顎ｇの離隔距離は突起ｆの幅ｗ＝８０ｍｍ区間に於いて、ｔ２＝ｔ＋α＝８ｍｍ→ｔ１＝６ｍｍと小さくなって行く。
【手続補正３】
【補正対象書類名】図面
【補正対象項目名】全図
【補正方法】変更
【補正の内容】
【図１】
0003202085.tif 000017
【図２】
0003202085.tif 000018
【図３】
0003202085.tif 000019
【図４】
0003202085.tif 000020
【図５】
0003202085.tif 000021
【図６】
0003202085.tif 000022
【図７】
0003202085.tif 000023
【手続補正書】
【提出日】平成27年10月26日(2015.10.26)
【手続補正１】
【補正対象書類名】実用新案登録請求の範囲
【補正対象項目名】全文
【補正方法】変更
【補正の内容】
【実用新案登録請求の範囲】
【請求項１】
ポリ容器底に於いて、円筒ａの外径を内径とする、厚さ６ｍｍ、高さ８０ｍｍの円筒を鞘ｉとして、ポリ容器底板の同心円上に接着、若しくは、一体成型し、円筒ａを鞘ｉに、隙間無く、収納させる事により、ポリ容器底板と円筒ａとを一体化（固定）させる、家庭で簡単に出来る本格的門松の架台（基礎）
【請求項２】
ポリ容器側面天端に於いて、ポリ容器円の中心に向かって、厚さｔ３＝６ｍｍを有する幅ｗ＝８０ｍｍの突起ｆを、東西南北の４か所に於いて水平に設け、透明アクリル製円板蓋ｃを、突起ｆの下面に於いて、幅ｗ＝８０ｍｍ区間で、水平に回転させる為に  （１）．突起ｆと  透明アクリル製円板蓋ｃ  とが重なる面積より、僅かに広い面積を、透明アクリル製円板蓋ｃの円弧から、東西南北の４ケ所で切り欠き、（２）．突起ｆの下端から  透明アクリル製円板蓋ｃの厚さｔ１＝６ｍｍより、僅かに、厚い寸法α＝２ｍｍだけ、下方位置に、ポリ容器壁内面から、突起ｆと同厚のｔ３＝６ｍｍを有する顎ｇを、ポリ容器全周に水平に設ける。故に、突起ｆの下端と顎ｇの天端の離隔はｔ２＝ｔ１＋α＝８ｍｍとなる。（３）．透明アクリル製円板蓋ｃの切り欠き部分を  突起ｆの位置に於いて、水平に落下させ、顎ｇにて、これを受け止め、顎ｇ上で、透明アクリル製円板蓋ｃを水平に右回転（時計回り）させると、透明アクリル製円板ｃは、突起ｆと顎ｇとの間に導かれて、突起ｆの幅ｗ＝８０ｍｍの区間に於いて、突起ｆと顎ｇと、透明アクリル製円板蓋ｃとの隙間が無くなくなって、終いに、突起ｆと顎ｇに挟まれた透明アクリル製円板蓋ｃは、突起ｆと顎ｇと、ポリ容器壁と一体化（固定）される。  以上の、（１）．〜（３）．の構成から成る家庭で簡単に出来る本格的門松の架台（基礎）
【請求項３】
ポリ容器底から垂直に立つ円筒ａの天端に被せる  鞘ｈの周囲をドーナツ状水平板で囲まれた鞘ｈ付きの円板は、基礎ポリ容器内を水道水で満たした時、水中に存在するので目視でき、水中に於いて、中心部の鞘ｈの周りのドーナツ状水平板に、松枝、梅枝の転倒の際の支点となる穴２’が開けてある、円筒ａの外径を内径とした鞘ｈが、隙間なく円筒ａを収納する事により、円筒ａと鞘ｈとを一体化（固定）する家庭で簡単に出来る本格的門松の架台（基礎）。
【手続補正２】
【補正対象書類名】明細書
【補正対象項目名】全文
【補正方法】変更
【補正の内容】
【考案の詳細な説明】
【技術分野】
【０００１】本考案は、正月の門松を、家庭で簡単に、製作する為のものである。
【考案の概要】
【考案が解決しようとする課題】
【０００２】解決しようとする問題点は、現在、我々一般庶民が、正月に門松を、自宅の玄関前に飾ろうと希望する場合、植木屋、造園業者、工務店等に頼むのが一般的である。その場合の価格は、門松の竹の最長が、４尺（１２１ｃｍ）の場合で４〜５万円、５尺（１５２ｃｍ）の門松で５〜６万円、６尺（１８２ｃｍ）で７〜８万円、が相場である（２０１４年、在名古屋）。これは、庶民にとっては、極めて高額である。  そこで、ポリ容器（ポリバケツ、ポリ塵入等）に簡単な細工を施して、門松の架台（基礎）にし、砂の代わに水道水を使用する事で、全体の重量及び作業量の軽減を図り、人件費を抑え、以て、庶民の手の届く、安価な門松を提供しようとするものである。
【解決するための手段】
【０００３】本考案は、重労動を必要とする門松基礎の砂の運搬作業を排し、門松製作の職人の労働行為を、家族の集いの場としての共同娯楽作業と位置付け、職人の人件費を不要にする事に因り、問題解決を図る。
【考案の効果】
【０００４】本考案により、門松製作が極めて簡単になり、しかも、従来の職人による、高額な門松製作の人件費が不要となる。
年末の、会社が休みになって、暇なお父さんと、冬休みの子供達だけで、楽しく門松を作る事ができ、家計も助かり、年末で忙しいお母さんも喜ぶ。
【図面の簡単な説明】
【図１】家庭で作くる本格的門松の完成予想図。
【図２】円筒ａが鞘ｉに、隙間無く納まり、ポリ容器底と円筒ａが垂直に一体化（固定）される図。
【図３】門松の架台（基礎）を竹片で仕上げた図。
【図４】透明アクリル製円板蓋ｃ。及びｃを、ポリ容器の天端と一体化（固定）する図。
【図５】突起ｆ、と顎ｇ間の離隔距離は、突起ｆの幅ｗ＝８０ｍｍ間で、ｔ２＝８ｍｍ→ｔ１＝６ｍｍへと変化していく図。
【図６】門松の架台（基礎）内部の俯瞰透視図。
【図７】ポリ容器底から垂直に立つ円筒ａの天端に鞘ｈを隙間無く被せる事によって、円筒ａの天端と鞘ｈ付きドーナツ状円板  が一体化（固定）される図。
【考案を実施する為の形態】
【０００５】バケツ型ポリ容器に、簡単な細工を施して、門松の架台（基礎）とする。水を入れると、架台（基礎）は重くなって、重心が下がり、門松は安定する。水を入れなければ、軽く、作業や運搬に便利である。
【０００６】水を入れると、竹や松、梅等、門松に必要な植物を、みずみずしい状態で保持できる。
【０００７】正月が終わって、水を抜けば、毎年、使用できる。
【０００８】門松の主役である竹３本を纏めて内接する円の直径をΦとする。
【０００９】ポリ容器の底板から垂直に立つ内径Φを有する円筒ａで、３本の竹の最下部を納める為，円筒ａの外径を内径とする高さ８０ｍｍの円筒型を、円筒ａを受け入れる為の鞘ｉとして、ポリ容器底板に垂直に接着、若しくは、ポリ容器底板と鞘ｉとを一体成型する。
【００１０】ポリ容器底板に立つ鞘ｉに、円筒ａを挿入すると、鞘ｉの内径と円筒ａの外径は隙間無い為、円筒ａは、ポリ容器底と垂直に一体化（固定）される。（図２）
【００１１】次に、中心に直径Φの円（穴１）を開けた透明アクリル製円板蓋ｃに、門松の主役である、竹３本を、（穴１）の上から通して、ポリ器底板の中心から垂直に立っている、円筒ａに竹３本を挿入する。
【００１２】竹３本が垂直に立ったら、ポリ容器に水を入れ、松枝、梅枝を透明アクリル製円板蓋ｃの中心円（穴１）の周囲に開けてある（穴２）群に通し、枝を水中に刺す。
【００１３】この時、松枝も、梅枝も、転倒しない様、ポリ容器中段の水中に、予め設けてある、鞘ｈ付きドーナツ状円板に開けてある松枝、梅枝の専用穴である（穴２’）に通す。
水中に在る鞘ｈ付きドーナツ状円板は、上位の円板蓋ｃが、透明アクリル製であるので、上から、目視できる。
【００１４】松枝、梅枝は、転倒に対し、（穴２）を反力の作用点とし、（穴２’）を支点とする垂直２点支持となる為、転倒に対して安定する。
【００１５】次に門松の、松や梅の下位に配置する、南天、万年青（オモト）等、赤い実を付ける低木を、同じ円板蓋ｃに開けた（穴３）に通し、水面に刺す。
【００１６】更に、門松の低木の下に配置する笹を、円板蓋ｃの笹用の（穴４）に、葉牡丹の根を、葉牡丹用の（穴５）に通して、水面に刺す。この時、葉牡丹は位置を安定させる為、葉牡丹の葉元を水苔で満たし葉牡丹の葉元を安定させる。
【００１７】以上の結果、門松を構成する植物は、全て、水が補給されたみずみずしい状態で、門松として、構成されている。
【００１８】最後に、門松の架台（基礎）のポリ容器表面に、菰（コモ）、又は檜皮（ヒワダ）等で巻き付け、上から縄で縛れば、本格的門松となる。（図１）
【００１９】円筒ａに挿入された３本の竹の下端の角が、竹転倒の際の支点である。
【００２０】水を入れたポリ容器の水面上の、透明なアクリル製円板蓋ｃの、中心に直径Φの穴１を開ける。
【００２１】直径Φの（穴１）の回りに、松枝、梅枝を通す（穴２）と、南天、万年青（オモト）等を通す（穴３）と、更に、門松の最下部に配置する笹枝を通す（穴４）と、葉牡丹の根を通す（穴５）を開けた透明なアクリル製円板蓋ｃを、ポリ容器側面天端と一体化（固定）させる。（図４）
【００２２】胴縁ｄ、ｅを、ポリ容器表面に、ｄ、ｅの外面（ソトヅラ）が垂線上に在るように巻き、上下２段の胴縁に、ポリ容器の成より、僅かに３０ｍｍ程長い、幅２〜２．５寸程の竹片Ｔを、垂直にビス止めする。
【００２３】すると、門松の架台（基礎）の見栄えは、より一層、立派となり（図４）、しかも、架台（基礎）の接地幅が広がるので、門松は、より安定する。（図３）
【００２４】透明アクリル製円板蓋ｃの位置が、竹、松、梅の転倒の際の水平反力の、作用点となるので、この作用点がグラつかない様、円板蓋ｃと、ポリ容器側面天端とを一体化（固定）する。
【００２５】その為に、ポリ容器側面壁天端で、ポリ容器円の中心に向かって、厚さｔ３＝６ｍｍ、幅ｗ＝８０ｍｍの突起部ｆを、水平に張り出す。（図４）（図５）
【００２６】次に、突起部ｆの下面に於いて透明アクリル製円板蓋ｃを突起部ｆの幅ｗ＝８０ｍｍの区間で、水平に回転させる為、突起ｆとアクリル製円板蓋ｃとの重なる部分より、僅かに広い面積を、透明アクリル製円板蓋ｃの円弧から、東西南北の４ケ所で切り欠く。（図４）
【００２７】次に、透明なアクリル製円板蓋ｃの厚さｔ１＝６ｍｍより、僅かに厚い寸法α＝２ｍｍだけ、下方位置に、ポリ容器内壁から、突起ｆと同厚のｔ３＝６ｍｍの顎ｇを、水平に、ポリ容器内壁面全周に設ける。（図４）（図５）
【００２８】透明アクリル製円板蓋ｃの切り欠き部を、突起ｆの位置に持っていき、透明アクリル製円板蓋ｃを水平に落下させ、顎ｇでこれを受け止め、顎ｇ上で、透明アクリル製円板ｃを水平に右回転する。（図５）
【００２９】透明アクリル製円板蓋ｃは、突起ｆと顎ｇの間に水平に導かれ、突起ｆの幅ｗ＝８０ｍｍに於いて、突起ｆ  と顎ｇに、挟まれるように移動し、やがて、突起ｆと顎ｇと円板蓋ｃとの隙間が無くなり、終いに、突起ｆと顎ｇに挟まれた円板蓋ｃは、突起ｆと顎ｇと、ポリ容器壁とが一体となり固定される。（図４）（図５）
【００３０】これで、竹、松、梅、の門松の主要３部品は、全て支点と、作用点を持つ、垂直２点支持となり、竹、松、梅は転倒方向に対し、安定する。
【００３１】松枝と梅枝を刺す（穴２’）を開けた  鞘ｈ付きドーナツ状円板  を、ポリ容器底板から垂直に立つ円筒ａの天端に被せ、隙間無く円筒ａを鞘ｈに迎え入れる事により、円筒ａと鞘ｈを一体化（固定）させる。（図７）
【符号の説明】
【００３２】穴１：透明アクリル製円板蓋ｃの中央に開ける、竹３本を内接する直径Φの円。
Φ：竹３本を内接する円の直径。
円筒ａの内径。
透明アクリル製円板蓋ｃの中央の穴１の直径。
穴２：透明アクリル製円板蓋ｃの穴１の周囲に開ける、松枝、梅枝を通す穴。
穴３：透明アクリル製円板蓋ｃの穴２の周囲に開ける、南天、万年青（オモト）等の、赤い実を付ける植物を通す穴。
穴４：透明アクリル製円板蓋ｃの穴２、穴３の周りに開ける笹の枝を通す穴
穴５：透明アクリル製円板蓋ｃの穴２、穴３の周りに開ける葉牡丹の根を通す穴。
穴２’：水中の  鞘ｈ付きドーナツ状円板  に開ける松枝、梅枝の転倒の際の支点となる穴。
円筒ａ：ポリ容器底板に立つ鞘ｉに挿入する、Φを内径とし、ポリ容器成の１／２を成とする竹３本を内包し自立させる為のポリ製円筒。
鞘ｉ：ポリ容器底板の中心に設ける円筒ａを刺す為の、円筒ａの外径を、内径とした高さ８０ｍｍの円筒型鞘。
ｃ：透明アクリル製円板蓋。突起ｆの下面に於いて、ｆの幅ｗ＝８０ｍｍ区間にで、水平に回転移動させる為、突起ｆ  と  透明アクリル製円板蓋ｃとの重なる面積より僅かに広い面積を、透明アクリル製円板蓋ｃの円弧から、東西南北の４ケ所で切欠いた、厚さｔ１＝６ｍｍの元円板蓋。
中心に穴１（直径＝Φ）を開け、その周囲に穴２〜穴５が沢山、開いている。
下が見える様、透明アクリル製とする。
ｆ：ポリ容器側面壁天端から、円の中心に向かって、水平に張り出す厚さ
ｔ３＝６ｍｍを有する、幅ｗ＝８０ｍｍの突起。
ｗの区間で、ｃの回転方向（右回り）に、徐々にα＝２ｍｍだけ厚くなる。即ち、幅ｗ（＝８０ｍｍ）の区間に於いて、ｆの厚さは、ｔ＝６ｍｍ→ｔ２＝ｔ１＋α＝８ｍｍへと、下へ向って徐々に厚くなっていく。（図５）
ｋ：菰（こも）
ｎ：縄
Ｔ：竹片
ｄ、ｅ：胴縁
ｔ１：透明アクリル製円板蓋ｃの厚さ。ｔ１＝６ｍｍ
ｔ２：ｔ１より僅かα＝２ｍｍだけ多い厚さ。ｔ２＝ｔ１＋α＝８ｍｍ（図５）。
ｆの下端より、ｔ２だけ下方をｇの天端とする。即ち、ｆ、ｇ間の離隔距離はｆのｗ区間で、ｔ２→ｔ１へとｃの回転方向に、小さくなっていく
ｔ３：突起ｆの幅ｗ＝８０ｍｍ区間での、ｃの回転方向のｆの最初の厚さ。
顎ｇの全周厚さ。
鞘ｈ：円筒ａの最上端に被せる、円筒ａの外径を内径とする、高さ８０ｍｍの短い円筒型の鞘で、水中に在って、周囲を、松枝、梅枝の転倒の支点となる穴２’を開けたドーナツ状水平板で囲まれた鞘ｈ付きの円板である。
円筒ａの天端に於いて、円筒ａに隙間なく被せる事によって、
円筒ａと鞘ｈは一体化（固定）する。
ｗ：突起ｆの幅。＝８０ｍｍ
ｇ：ポリ容器内壁面から円中心に向かって水平に張り出す透明アクリル製円板蓋ｃを受ける、厚さｔ３の顎。突起ｆの下端から、ｔ２だけ下方を顎ｇの天端とする。即ち、突起ｆと顎ｇの離隔距離は突起ｆの幅ｗ＝８０ｍｍ区間に於いて、ｔ２＝ｔ＋α＝８ｍｍ→ｔ１＝６ｍｍと小さくなって行く。
【手続補正３】
【補正対象書類名】図面
【補正対象項目名】全図
【補正方法】変更
【補正の内容】
【図１】
0003202085.tif 000024
【図２】
0003202085.tif 000025
【図３】
0003202085.tif 000026
【図４】
0003202085.tif 000027
【図５】
0003202085.tif 000028
【図６】
0003202085.tif 000029
【図７】
0003202085.tif 000030